【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
格納場所が一意に設定されている情報が配置された仮想空間内で、利用者により任意に指示された指定位置を検出するステップと、
当該指定位置に対して仮想的な広がりを有する領域内に入る上記情報の配置位置を検出するステップと、
上記検出された配置位置に対応する上記情報を上記格納場所から取得するステップと、
上記取得した情報の内容を提示するステップとを
コンピュータに実行させるための情報閲覧プログラム。
【請求項２】
請求項１記載の情報閲覧プログラムであって、
上記仮想空間内における上記指定位置と上記検出された配置位置との間の相対的な位置関係を検出するステップを有し、
上記提示のステップは、上記情報の内容を表す画像を、上記位置関係に応じた表示状態で画面上に表示するステップを含むことを特徴とする情報閲覧プログラム。
【請求項３】
請求項２記載の情報閲覧プログラムであって、
上記位置関係を検出するステップは、上記指定位置と上記配置位置との間の仮想空間内距離を、上記位置関係を表す値の一つとして検出し、
上記表示のステップは、上記情報の内容を表す画像を、上記仮想空間内距離が遠くなるほど小さくなる半透明度の表示状態で表示することを特徴とする情報閲覧プログラム。
【請求項４】
請求項２記載の情報閲覧プログラムであって、
上記位置関係を検出するステップは、上記指定位置と上記配置位置との間の仮想空間内距離を、上記位置関係を表す値の一つとして検出し、
上記表示のステップは、上記情報の内容を表す画像を、上記仮想空間内距離が遠くなるほど大きくなる角度に調整した表示状態で表示することを特徴とする情報閲覧プログラム。
【請求項５】
請求項２から請求項４項のうち、何れか一項記載の情報閲覧プログラムであって、
上記位置関係を検出するステップは、上記指定位置から上記配置位置への、仮想空間内での方角を、上記位置関係を表す値の一つとして検出し、
上記表示のステップは、上記情報の内容を表す画像を、上記方角に応じて画面上に配した表示状態で表示することを特徴とする情報閲覧プログラム。
【請求項６】
請求項１から請求項５のうち、何れか一項記載の情報閲覧プログラムであって、
上記提示のステップは、利用者からの所定の指示に応じて、上記仮想的な広がりの領域内で検出された全ての配置位置のうちで最も指定位置に近い配置位置に対応する情報のみを提示するステップを含むことを特徴とする情報閲覧プログラム。
【請求項７】
請求項１から請求項６のうち、何れか一項記載の情報閲覧プログラムであって、
少なくとも上記仮想空間と当該仮想空間内の上記配置位置と当該仮想空間内の上記指定位置とを表す画像を、生成して表示するステップを有することを特徴とする情報閲覧プログラム。
【請求項８】
請求項１から請求項７項のうち、何れか一項記載の情報閲覧プログラムであって、
利用者からの指示に応じて、上記仮想空間内で上記配置位置の検出可能な範囲を変更するステップと、
上記配置位置の検出可能な範囲の大きさに応じて、上記仮想的な広がりの領域内で検出される上記情報の配置数を変更するステップとを有することを特徴とする情報閲覧プログラム。
【請求項９】
請求項１から請求項８のうち、何れか一項記載の情報閲覧プログラムであって、
上記仮想空間は１次元空間であることを特徴とする情報閲覧プログラム。
【請求項１０】
請求項１から請求項８のうち、何れか一項記載の情報閲覧プログラムであって、
上記仮想空間は２次元以上の多次元空間であることを特徴とする情報閲覧プログラム。
【請求項１１】
請求項１から請求項１０のうち、何れか一項記載の情報閲覧プログラムを記録したコンピュータ読み取り可能な記録媒体。
【請求項１２】
格納場所が一意に設定されている情報が配置された仮想空間内で、利用者により任意に指示された指定位置を検出する指定位置検出部と、
当該指定位置に対して仮想的な広がりを有する領域内に入る上記情報の配置位置を検出する配置位置検出部と、
上記配置位置検出部により検出された配置位置に対応する上記情報を上記格納場所から取得する情報取得部と、
上記情報取得部により取得した情報の内容を提示する情報提示部とを有する
ことを特徴とする情報閲覧装置。
【請求項１３】
格納場所が一意に設定されている情報が配置された仮想空間内で、利用者により任意に指示された指定位置を検出し、
当該指定位置に対して仮想的な広がりを有する領域内に入る上記情報の配置位置を検出し、
上記検出された配置位置に対応する上記情報を上記格納場所から取得し、
上記取得した情報の内容を提示する
ことを特徴とする情報閲覧方法。
【請求項１４】
格納場所が一意に設定されている情報を収集するステップと、
上記収集された情報を内部に配置した仮想空間を生成するステップと、
情報閲覧時に使用される閲覧用情報を、上記仮想空間から生成するステップとを、
コンピュータに実行させるための情報生成プログラム。
【請求項１５】
請求項１４記載の情報生成プログラムであって、
上記情報の収集のステップは、上記情報からその内容を表すメタデータを抽出するステップを含み、
上記仮想空間の生成のステップは、上記メタデータに基づいて、上記情報を複数種類の仮想空間の何れかに分類するステップを含むことを特徴とする情報生成プログラム。
【請求項１６】
請求項１４記載の情報生成プログラムであって、
利用者の嗜好情報を収集するステップを有し、
上記仮想空間の生成のステップは、上記嗜好情報に基づいて、複数種類の仮想空間に配置する情報の数を調整するステップを含むことを特徴とする情報生成プログラム。
【請求項１７】
請求項１４から請求項１６のうち、何れか一項記載の情報生成プログラムであって、
上記仮想空間の生成のステップは、１次元の仮想空間を生成することを特徴とする情報生成プログラム。
【請求項１８】
請求項１４から請求項１６のうち、何れか一項記載の情報生成プログラムであって、
上記仮想空間の生成のステップは、２次元以上の多次元の仮想空間を生成することを特徴とする情報生成プログラム。
【請求項１９】
請求項１４から請求項１８のうち、何れか一項記載の情報生成プログラムを記録したコンピュータ読み取り可能な記録媒体。
【請求項２０】
格納場所が一意に設定されている情報を収集する情報収集部と、
上記収集された情報を内部に配置した仮想空間を生成する空間生成部と、
情報閲覧時に使用される閲覧用情報を、上記仮想空間から生成する情報生成部とを備える
ことを特徴とする情報生成装置。
【請求項２１】
格納場所が一意に設定されている情報を収集し、
上記収集された情報を内部に配置した仮想空間を生成し、
上記仮想空間から情報閲覧時に使用される閲覧用情報を生成する
ことを特徴とする情報生成方法。
【請求項２２】
格納場所が一意に設定されている情報を収集する情報収集部と、上記収集された情報を
内部に配置した仮想空間を生成する空間生成部と、情報閲覧時に使用される閲覧用情報を
上記仮想空間から生成する情報生成部とを有する情報生成手段と、
上記情報生成手段の情報格納部から読み出された上記閲覧用情報を取得する閲覧用情報
取得部と、上記閲覧用情報に含まれる仮想空間内で利用者により任意に指示された指定位
置を検出する指定位置検出部と、当該指定位置に対して仮想的な広がりを有する領域内に
入る上記情報の配置位置を検出する配置位置検出部と、上記配置位置検出部により検出さ
れた配置位置に対応する上記情報を上記格納場所から取得する情報取得部と、上記情報取
得部により取得した情報の内容を提示する情報提示部とを有する情報閲覧手段とを備える
ことを特徴とする情報生成閲覧システム。